(57)【特許請求の範囲】
【請求項１】
下層上にまき出された舗装材を敷均して締固めるスクリードの側方に配設され、進行方向へ延設されると共に前記スクリード下面よりも下方へ突出して前記下層に当接し、舗装体側縁部を成形するエンドプレートと、
前記スクリードの端部後方に、前部を枢着することで左右方向へ揺動可能にして配設され、上下に振動して舗装体端部を締固める端部締固め用スクリードと、
該端部締固め用スクリードの側方に、当該端部締固め用スクリードと共に揺動可能にして配設され、進行方向へ延設されると共に前記端部締固め用スクリード下面よりも下方へ突出して前記下層に当接し、舗装体側縁部を成形する端部締固め用エンドプレートと、
舗装体の内側へ向けて前記端部締固め用スクリードを付勢する付勢手段と、
を含んで構成されることを特徴とする舗装体端部締固め装置。
【請求項２】
前記端部締固め用エンドプレートは、舗装体側縁部の肩部分を面取り成形するための傾斜面部を内側面に有することを特徴とする請求項１記載の舗装体端部締固め装置。
【発明の詳細な説明】
【技術分野】
【０００１】
本発明は、道路、駐車場、スポーツ施設等の舗装体を舗設する際に、アスファルト混合物等を敷均し、締固める装置に関する。
【背景技術】
【０００２】
例えば、道路にアスファルト混合物を敷均し、締固めて舗装体を舗設する際には、その舗装体の側縁部が崩れたりすることのないように型枠をあてがって、締固め装置を備えたアスファルトフィニッシャにより敷均し、締固める作業が行われる。この木製の型枠は、施工後には取り除かれる消耗品であるうえ、その設置、撤去作業に労力、時間を要するので、資源の浪費抑制、コストダウンの観点から、型枠を使用しない無型枠施工を実施できた方がよい。この無型枠施工を実行するために、特許文献１のような、アスファルトフィニッシャのスクリードに取り付ける舗装体端部締固め装置が提案されている。
【０００３】
当該従来技術の舗装体端部締固め装置は、スクリードの側方に、当該スクリードの下面よりも下方へ突出して舗装体の下層（すなわち道路なら路盤又は基層）に当接するエンドプレートを進行方向（前後方向）へ延設して配置し、これを型枠の代わりとして用い、舗装体の側縁部を形成する仕組みである。そして、このエンドプレートの内側においてスクリード端部後方に、例えばモータ加振手段により上下に振動して舗装体端部を締固めるプレート状の端部締固め用スクリードを配設した構造を有する。
【０００４】
【特許文献１】特開平５−１９５５１０号公報
【発明の開示】
【発明が解決しようとする課題】
【０００５】
上記従来技術の舗装体端部締固め装置では、カーブ箇所の舗装体を成形する場合に対処できるように、湾曲式エンドプレートを使用したり（文献図１９）、あるいは、エンドプレートを中折れ式として端部締固め用スクリードごと外方へ角度調整できるようにしている（文献図２０）。
【０００６】
しかし、特許文献１の図１９に開示される湾曲式エンドプレートの場合、カーブの曲率ごとに端部締固め用スクリード及びエンドプレートを取り替えなければならず、各種曲率用の形状とした端部締固め用スクリード及びエンドプレートを用意して曲率が変わる度に取り替えながら施工するのは、コスト的に見ても作業性から見ても現実的ではない。そこで、特許文献１の図２０に開示される中折れ式エンドプレートを採用したいところであるが、この中折れ式は、端部締固め用スクリードとエンドプレートを、図示とは逆の内向きに回動させることができない。すなわち、舗装体の外周側縁部に対応して内向きに曲げることができないという不具合がある。
【０００７】
このように、従来の舗装体端部締固め装置は、舗装体の内周側縁部成形には適応することができるが、外周側縁部への適応には難がある。特に、端部締固め用スクリードを内周及び外周の曲率に対応させてエンドプレートと共に配置調整することができないと、舗装体の側縁部の仕上げ精度が悪くなって型くずれなどの影響が出る。
【０００８】
本発明は、このような技術背景に鑑みたもので、カーブ箇所における舗装体の内周及び外周の両方で側縁部を精度良く仕上げることのできる舗装体端部締固め装置を提案する。
【課題を解決するための手段】
【０００９】
本発明において提案する舗装体端部締固め装置は、下層上にまき出された舗装材を敷均して締固めるスクリードの側方に配設され、進行方向へ延設されると共に前記スクリード下面よりも下方へ突出して前記下層に当接し、舗装体側縁部を成形するエンドプレートと、前記スクリードの端部後方に、前部を枢着することで左右方向へ揺動可能にして配設され、上下に振動して舗装体端部を締固める端部締固め用スクリードと、該端部締固め用スクリードの側方に、当該端部締固め用スクリードと共に揺動可能にして配設され、進行方向へ延設されると共に前記端部締固め用スクリード下面よりも下方へ突出して前記下層に当接し、舗装体側縁部を成形する端部締固め用エンドプレートと、舗装体の内側へ向けて前記端部締固め用スクリードを付勢する付勢手段と、を含んで構成される。
【発明の効果】
【００１０】
この提案に係る舗装体端部締固め装置は、端部締固め用スクリード及びエンドプレートが前部を軸に左右へ揺動する構造を備えており、且つこれら端部締固め用スクリード及びエンドプレートが、付勢手段により舗装体の内側へ向け付勢されている。すなわち、揺動可能な端部締固め用スクリード及びエンドプレートを常に内方へ付勢することにより、端部締固め用エンドプレートが舗装体側縁部を撫でながら移動するようにしている。これに従って、端部締固め用スクリード及びエンドプレートは、曲率等の舗装体側縁部形状に沿って自動的に揺動しつつ、前進することになる。
【００１１】
つまり、当該舗装体端部締固め装置によると、前方にあるメインのスクリード及びエンドプレートにて成形された舗装体のカーブ形状に応じて、端部締固め用スクリード及びエンドプレートが内方又は外方へ自動的に角度調整され、カーブに沿って舗装体端部を締固めていく。したがって、この提案に係る舗装体端部締固め装置は、カーブ箇所における舗装体の内周及び外周の両方で側縁部を精度良く仕上げることができる。
【発明を実施するための最良の形態】
【００１２】
以下、好適な実施形態について説明する。この実施形態に係る舗装体端部締固め装置は、特開２００７−３０３２２２号公報に開示されているエンドプレート、あるいは、特開２００８−０３８４５０号公報に開示されているエンドプレートと併用することができる。本実施形態では、特開２００７−３０３２２２号公報に開示されているエンドプレートと共に使用する例を示す。
【００１３】
特開２００７−３０３２２２号公報には、スクリード側方に配設されたエンドプレートと、該エンドプレートとスクリードとの間に配設された肩部分成形型板と、エンドプレート内側のスクリード端部後方に配設された端部締固め用プレートと、を備えた舗装体端部締固め装置が記載されている。本実施形態では、この特開２００７−３０３２２２号公報に記載された舗装体端部締固め装置に、本発明で提案する端部締固め用スクリード及びエンドプレートを追加装備する。
【００１４】
図示を省略するが、本実施形態に係るアスファルトフィニッシャは、自走式の車両であるトラクタの前方に、舗装材であるアスファルト混合物を貯蔵するホッパ及びホッパゲートと、ホッパゲートからアスファルト混合物を送り出すためのフィーダコンベアと、を設けた構造を有している。そして、トラクタの後方には、ホッパゲートから下層（例えば路盤や基層）上にまき出されたアスファルト混合物を進行方向（前後方向）に対し横方向（左右方向）へ送っていくためのスクリューコンベアと、該スクリューコンベアにより横方向へ敷き延ばされたアスファルト混合物を敷均し、締固めるためのスクリードＳと、が設けられている（図４参照）。
【００１５】
スクリードＳは、上下方向に揺動可能なレベリングアームＳ１により高さ調整可能とされたフレームＳ２の下部に、第１のスクリードＳ３と、該スクリードＳ３に対し横方向へスライドして幅調整を行えるようにした第２のスクリードＳ４と、が進行方向前後にずらして、それぞれ支持部材により取り付けられている。これら幅調整可能なスクリードＳ３，Ｓ４が、スクリューコンベアにより敷き延ばされたアスファルト混合物を押圧し、敷均して締固める役割を担う。本例の場合、施工幅に応じてスライド可能としたスクリードＳ４の側部に、さらにエクステンションスクリードＳ５が接続されて、スクリード端部を構成している。そして、このエクステンションスクリードＳ５の側方に、スクリードＳ３，Ｓ４，Ｓ５の下面よりも下方へ突出して下層に当接し、舗装体側縁部を略垂直に成形するように進行方向へ延設されたエンドプレートＥ（前記公報では符号１０）が端部締固め装置として配置されている。
【００１６】
なお、本例のスクリードＳ３，Ｓ４，Ｓ５は、油圧等により下方へ加圧されてアスファルト混合物を押圧し、敷均して締固めていく機構であるが、振動装置により加振される方式のスクリードもあり、どちらでも適用可能である。
【００１７】
エンドプレートＥは、メインのスクリードＳの側面にボルトで固定した支持フレームＦに、付勢シリンダにより下方へ付勢して取り付けられている（特開２００７−３０３２２２号公報参照）。このようにしてスクリードＳの側方に配設されるエンドプレートＥは、スクリードＳの進行方向へ延設されており、スクリード下面よりも下方へ突出する。下方へ付勢されて突出するエンドプレートＥは、下層に当接しながら、凹凸等の下層表面状態に追従して上下することができ、従来の型枠の代わりとして常に下層に当接した状態を維持することができる。このエンドプレートＥは、下端部を略直角に外方へ折り曲げたフランジ部Ｅ１を有し、該フランジ部Ｅ１の下面が下層に当接する。また、このフランジ部Ｅ１の上面を覆うように筒部が延設されており、当該筒部内に、バーナＥ２（図１にのみ図示）にて熱風を送り込んで加熱できるようにしてある。
【００１８】
エンドプレートＥを支持している支持フレームＦの裏側（内側）には、肩部分成形型板が高さ位置を調整可能にして取り付けられている。この肩部分成形型板は、前側に入り隅部を有し、これに続けて後側に三角錐部が形成されている（特開２００７−３０３２２２号公報参照）。三角錐部は、入り隅部により角形に成形される舗装体側縁部の肩部分を徐々に面取り成形するように、入り隅部から連続して進行方向後側に設けられたテーパ面をなす。さらに、入り隅部及び三角錐部の上面を覆うように筒部が延設され、この筒部内に、バーナにて熱風を送り込み、加熱することができるようになっている。
【００１９】
図１〜図３に示すように、本実施形態において、断面コ字状の支持フレームＦがスクリードから後方へ延長されており、該延長された支持フレームＦの先端に、ヒンジＨが設けられている。蝶番の形態であるヒンジＨは、支持フレームＦ側の上下二つの縦軸筒Ｈ１，Ｈ２の間に、端部締固め用スクリード１側の縦軸筒Ｈ３を配置して、ヒンジ軸Ｈ４を共通に刺し通してある。当該ヒンジＨにより、端部締固め用スクリード１は、その前端部で枢着されてスクリードの端部後方に配設され、左右方向へ揺動できるようになっている。
【００２０】
本実施形態の端部締固め用スクリード１は、ヒンジＨに固定された横軸筒１ａと、これに挿通した横軸１ｂと、によって上下方向へ揺動できるように取り付けられている。横軸筒１ａには円周方向の長孔１ｃが形成されており、該長孔１ｃに、横軸１ｂに突設したピン１ｄが挿入されることで、長孔１ｃの長さの範囲内でのみ揺動が許容される。このような横軸１ｂの両端部に支持アーム１ｅ，１ｆが固定されており、該支持アーム１ｅ，１ｆに、天板フレーム１ｇが固定されている。
【００２１】
この天板フレーム１ｇから、図３のように、前側２本、後側１本の吊り下げチェーン１ｈ，１ｉ，１ｊ（１ｈは図示略、図を見やすくするために他図ではすべてチェーンを図示略）が垂下され、当該チェーン１ｈ，１ｉ，１ｊにより、前後両端が上方へ反り返ったソリ状の下面をもつ振動プレート１０が吊り下げられている。チェーン１ｈ，１ｉ，１ｊが接続される振動プレート１０の上面板１１には、油圧モータを使用した加振手段１２が設置されており、該加振手段１２の前端部に設けられたブラケット１３が、天板フレーム１ｇから垂下されたブラケット１ｋの縦長孔に軸支されている。なお、図２では、天板フレーム１ｇを透視して加振手段１２を図示してある。このように設置された加振手段１２によって、振動プレート１０が上下に振動し、該振動プレート１０の下面によって舗装体端部が締固められる。この振動プレート１０に対して、上記のエンドプレートＥのように、熱風を送り込むバーナ１４を設けてあってもよい（図１にのみ図示）。
【００２２】
このような構造をもつ端部締固め用スクリード１の側方に、進行方向へ延設された端部締固め用エンドプレート２０が配設される。端部締固め用エンドプレート２０は、該エンドプレート２０よりも長い保持角材２１の上下貫通孔２２を通して上下動できるように保持されている。端部締固め用エンドプレート２０の上端部は、前方及び後方へ突片２０ａ，２０ｂがそれぞれ形成されて上下貫通孔２２よりも長くなっており、脱落が防止される。保持角材２１は、前後に間隔をあけて天板フレーム１ｇの側端部に垂下した支柱２３，２４に固定されている。したがって、端部締固め用エンドプレート２０は、端部締固め用スクリード１と共に揺動し、振動プレート１０の下面よりも下方へ突出して下層に当接し、舗装体側縁部を成形する。なお、支柱２３，２４の天板フレーム１ｇへの固定は、内側にフランジ２３ａ，２４ａを設けることで補強されている。
【００２３】
本実施形態における端部締固め用エンドプレート２０の内側面上部には、舗装体側縁部の肩部分を面取り成形するための傾斜面部２５が前後方向へ延設されている。すなわち、本実施形態の場合、上述のように、メインのエンドプレートＥに付随する肩部分成形型板によって舗装体側縁部の肩部分が面取り成形されるので、当該形状に合わせて傾斜面部２５が設けられる。当該傾斜面部２５の前端部分は、スキー板のように上方へ反り返っている。
【００２４】
図４に示すように、端部締固め用スクリード１は、付勢手段３０によってスクリードの内方、すなわち舗装体の内側へ向けて付勢されている。付勢手段３０は、鉄骨建築用のブレース材３１を流用したもので、該ブレース材３１は中央のターンバックル３２により長さ調節可能となっている。そのブレース材３１の一端を、スクリードの中央部後方に設けられた乗車板３３に係止すると共に、該ブレース材３１の他端にはコイルバネ３４を接続して、該コイルバネ３４を天板フレーム１ｇに係止している。この付勢手段３０は、中央のターンバックル３２を回転させることで、端部締固め用スクリード１にかける付勢力を調整することができる。あるいは、コイルバネ３４を交換することによっても、付勢力調整が可能である。
【００２５】
付勢手段３０によって端部締固め用スクリード１が舗装体内側へ向けて付勢されていることにより、端部締固め用エンドプレート２０に対して、舗装体側縁部へ押し付ける方向の力が施工中常に働いている。これにより端部締固め用エンドプレート２０が舗装体側縁部を撫でながら形状に沿って進むので、端部締固め用スクリード１及びエンドプレート２０は、曲率等の舗装体側縁部形状に沿って自動的に揺動しつつ、前進する。つまり、前方にあるメインのスクリード及びエンドプレートＥにて成形された舗装体のカーブ形状に応じて、端部締固め用スクリード１及びエンドプレート２０が内方又は外方へ自動的に角度調整され、カーブに沿って舗装体端部を締固めていく。端部締固め用スクリード１及びエンドプレート２０は、ヒンジＨによって内方へも外方へも揺動して角度調整されるので、カーブ箇所において舗装体の内周であっても外周であっても、その両方で側縁部を精度良く仕上げることができる。
【図面の簡単な説明】
【００２６】
【図１】舗装体端部締固め装置の実施形態を示した側面図。
【図２】舗装体端部締固め装置の実施形態を示した上面図。
【図３】舗装体端部締固め装置の実施形態を示した後面図。
【図４】付勢手段の取り付け形態を示した舗装体端部締固め装置の上面図。
【符号の説明】
【００２７】
Ｈ  ヒンジ
１  端部締固めスクリード
１ｇ  天板フレーム
１０  振動プレート
１１  上面板
１２  加振手段
２０  端部締固め用エンドプレート
２１  保持角材
２３，２４  支柱
２５  傾斜面部
３０  付勢手段
【図１】
0005008599.tif 000002
【図２】
0005008599.tif 000003
【図３】
0005008599.tif 000004
【図４】
0005008599.tif 000005